(57)【要約】      （修正有）【課題】ワイヤハーネスの分岐位置をテープ巻きすることなく結束材を用いて簡単に固定する。【解決手段】複数本の電線を集束してなるワイヤハーネスＷ／Ｈにおいて、幹線Ｗ／Ｈ１からの支線Ｗ／Ｈ２の分岐位置２５を固定する結束材１０として、バンド部１２の一端にバンド係止部１３を備えた結束バンド１１と、両端に環状部２２を有する弾性紐２０とを用い、弾性紐２０を支線Ｗ／Ｈ２の分岐側根元に１回巻以上巻き付けて両側を支線Ｗ／Ｈ２を挟む幹線Ｗ／Ｈ１側へ延在させ、該弾性紐２０の両端の環状部２２にそれぞれ結束バンド１１のバンド部１２を通し、これら支線Ｗ／Ｈ２を挟む両側のバンド部１２は互いに引っ張った状態で幹線Ｗ／Ｈ１に巻き付け、該バンド部１２をバンド係止部１３に通して締結固定している。【選択図】図３
2005267890.tif 000002
【特許請求の範囲】
【請求項１】
複数本の電線を集束してなるワイヤハーネスにおいて、幹線からの支線の分岐位置を固定する結束材として、バンド部の一端にバンド係止部を備えた結束バンドと、両端に環状部を有する弾性紐とを用い、
前記弾性紐を前記支線の分岐側根元に１回巻以上巻き付けて両側を支線を挟む幹線側へ延在させ、該弾性紐の両端の環状部にそれぞれ前記結束バンドのバンド部を通し、これら支線を挟む両側の前記バンド部は互いに引っ張った状態で幹線に巻き付け、該バンド部をバンド係止部に通して締結固定していることを特徴とするワイヤハーネス。
【請求項２】
前記結束材の弾性紐はゴムあるいはエラストマーからなる一方、前記結束バンドのバンド部には電線巻き付け側に横ずれ防止用突起を設け、該バンド部で締結される幹線の電線群の隙間に前記横ずれ防止用突起を押し込んでいる請求項１に記載のワイヤハーネス。
【発明の詳細な説明】
【技術分野】
【０００１】
本発明は、ワイヤハーネスに関し、詳しくは、自動車に配索されるワイヤハーネスの幹線から支線が分岐する位置を、ワイヤハーネスの組み立て時に簡単に固定できるようにするものである。
【背景技術】
【０００２】
自動車に配索するワイヤハーネスの組み立ては、作業台上に電線の配線経路に沿って電線保持具を立設しておき、ワイヤハーネスを構成する電線群を順次、電線保持具に通して配線していき、配線終了後にテープ等を巻き付けて結束して組み立てている。
このワイヤハーネス組み立て時において、図４（Ａ）に示すように、幹線Ｗ／Ｈ１の電線群から支線Ｗ／Ｈ２を分岐させて配線しているが、分岐位置では電線保持具１を通して支線端末側の電線保持具まで支線を分岐させて配線しているだけ、幹線と支線とを分岐位置が固定されていない。よって、この分岐位置を固定しておく必要があるため、図４（Ｂ）に示されるように、テープＴを支線Ｗ／Ｈ２の両側に幹線Ｗ／Ｈ１からクロス状に巻き付けて幹線からの支線の分岐位置を固定している。
しかしながら、前記テープＴのクロス巻きでは、テープＴにより被覆されない電線群が発生しやすく、隙間なく電線群をテープで巻き付けるには熟練を要する作業となっている。
【０００３】
この支線の分岐位置決め方法としては、従来種々の提案がなされており、例えば、本出願人は先に提供した実開平６−６５６８２号（特許文献１）では、図５に示すように、特殊な形状の締結バンド２を用いて、分岐部を固定している。該締結バンド２はバンド部３を途中から二股に分岐させて２個の分割バンド部３ａ、３ｂを設けると共に、該バンド部３の基端側に横長とし２個の係止部４ａ、４ｂを並設したバンド係止部４を設けている。
前記バンド部３ａ、３ｂを支線Ｗ／Ｈ２を挟む両側で幹線Ｗ／Ｈ１に巻き付け、バンド係止部４の係止部４ａにバンド部３ａ、係止部４ｂにバンド部３ｂを通して締め付けて締結している。
【０００４】
しかしながら、前記締結バンド２は特殊な形状であるため製作費がかかり、かつ、支線Ｗ／Ｈ２の太さが相違した場合、特に支線の電線群が少なく支線が小径の場合には支線の両側でバンド部３ａ、３ｂが緩みがちになり、汎用性が低い問題がある。
【特許文献１】実開平６−６５６８２号
【発明の開示】
【発明が解決しようとする課題】
【０００５】
本発明は前記問題に鑑みてなされたものであり、分岐位置決め用として特殊な形状の成形品を用いることなく、かつ、支線や幹線の太さが相違しても汎用することができる分岐位置固定手段を用いて組み立てるワイヤハーネスを提供することを課題としている。
【課題を解決するための手段】
【０００６】
前記課題を解決するため、本発明は、複数本の電線を集束してなるワイヤハーネスにおいて、幹線からの支線の分岐位置を固定する結束材として、バンド部の一端にバンド係止部を備えた結束バンドと、両端に環状部を有する弾性紐とを用い、
前記弾性紐を前記支線の分岐側根元に１回巻以上巻き付けて両側を支線を挟む幹線側へ延在させ、該弾性紐の両端の環状部にそれぞれ前記結束バンドのバンド部を通し、これら支線を挟む両側の前記バンド部は互いに引っ張った状態で幹線に巻き付け、該バンド部をバンド係止部に通して締結固定していることを特徴とするワイヤハーネスを提供している。
【０００７】
前記ワイヤハーネスであると、支線の分岐側根元に弾性紐を巻き付け、該弾性紐を両側に引っ張った状態で両端の環状部を汎用されている結束バンドを用いて幹線に固定することで、支線の分岐側根元を弾性紐で強く結束すると共に、分岐位置近傍の両側の幹線を結束バンドで結束しているため、弾性紐と結束バンドからなる結束材でワイヤハーネスの分岐位置を固定することができる。
前記のように、簡単な形状の弾性紐と汎用されている結束バンドとを組み合わせて用いているだけであるため、前記特許文献１に記載の特殊な結束バンドを用いる必要もなくコストを低減することができる。また、従来一般的に行われていたテープによるクロス巻きでは熟練が必要となるが、本発明の弾性紐と結束バンドを用いた分岐位置の固定では熟練を要せず、製品の品質を均等化できる。また、弾性紐及び結束バンドは異なる径の電線に巻き付け可能であるため、種々の異なる径のワイヤハーネスの幹線及び支線に巻き付けて、分岐位置を固定することができる。
【０００８】
また、分岐位置の固定にテープを使用していないため、ワイヤハーネスの解体作業の際には、結束バンドをはずして弾性紐の巻き付けをほどくだけでよく、ワイヤハーネスの結束を容易に解くことができ解体作業も容易にできる。
【０００９】
なお、前記弾性紐は、支線の分岐側根元に巻き付ける１本の直線状の弾性材の両端にそれぞれ環状部を設けたものでもよいし、全体で輪形状として、支線の分岐側根元部に巻き付けると両端にそれぞれ環状部が形成されるものとしてもよい。
【００１０】
前記結束材の弾性紐はゴムあるいはエラストマーからなる一方、前記結束バンドのバンド部には電線巻き付け側に横ずれ防止用突起を設け、該バンド部で締結される幹線の電線群の隙間に前記横ずれ防止用突起を押し込んでいることが好ましい。
【００１１】
前記構成とすると結束バンドに設けた横ずれ防止突起により、結束バンドの幹線への巻き付け位置がずれるのを防止しているため、結束バンドが弾性紐の引張力により支線の分岐位置側に引っ張られて弾性紐による支線の分岐側根元の巻き付けが緩むのを防止することができる。
なお、弾性紐を用いると支線を根元位置でしっかりと固定できるが、弾性紐に代えて、両端に環状部を備えた樹脂帯を用いて支線に巻き付けてもよい。
【発明の効果】
【００１２】
前述したように、本発明によれば、ワイヤハーネスの支線の分岐側根元に弾性紐を巻き付けて、該弾性紐の両端を支線を挟む両側で結束バンドを用いて幹線に固定することで、支線の分岐側根元を弾性紐で結束すると共に、分岐位置近傍の両側の幹線を結束バンドで結束しているため、弾性紐と結束バンドからなる安価な結束材でワイヤハーネスの分岐位置を固定することができる。
また、弾性紐及び結束バンドは異なる径の電線に巻き付け可能であるため、種々の異なる径のワイヤハーネスの幹線及び支線に巻き付けて、分岐位置を固定することができる。
【００１３】
さらに、分岐位置の固定にテープを使用していないため、ワイヤハーネスの解体作業の際には、結束バンドをはずして弾性紐の巻き付けをほどくだけでよく、ワイヤハーネスの結束を容易に解くことができ解体作業も容易にできる。
【発明を実施するための最良の形態】
【００１４】
本発明の実施形態を図面を参照して説明する。
図１乃至図３は、本発明の実施形態を示し、複数本の電線を集束してなるワイヤハーネスＷ／Ｈは幹線Ｗ／Ｈ１から分岐する支線Ｗ／Ｈ２を有する。
【００１５】
図１に示すように、ワイヤハーネスＷ／Ｈの支線Ｗ／Ｈ２に後述する弾性紐２０の直線部２１を２回巻き付けて両側を支線Ｗ／Ｈ２を挟む幹線Ｗ／Ｈ１側へ延在させている。弾性紐２０の両端の環状部２２にそれぞれ後述する結束バンド１１のバンド部１２を通し、これら支線Ｗ／Ｈ２を挟む両側のバンド部１２は互いに引っ張った状態でバンド部１２の横ずれ防止用突起１６を幹線Ｗ／Ｈ１の電線群の隙間に押し込むと共に幹線Ｗ／Ｈ１に巻き付け、該バンド部１２をバンド係止部１３のバンド挿通穴１５に通して所要の係止爪１４をバンド挿通穴１５内の被係止爪に係止させて幹線Ｗ／Ｈ１を結束し、ワイヤハーネスＷ／Ｈの分岐位置２５を固定している。
【００１６】
ワイヤハーネスＷ／Ｈの分岐位置を結束する結束材１０の弾性材２０は、ゴム紐からなり、中央に１本の直線部２１と該直線部２１の両端に結束バンド１１のバンド部１２を貫通する環状部２２を備えている。直線部２１は支線Ｗ／Ｈ２の分岐側根元に２、３回巻き以上巻き付けられる長さとし、前記ゴム紐は断面を長方形状として、厚さ１．０〜１．５ｍｍとし、長さは１００〜１５０ｍｍとしている。
なお、直線部２１は、断面長方形状に限らず、断面円形としてもよい。
【００１７】
結束材１０の結束バンド１１は、バンド部１２の一端にバンド係止部１３を備えている。バンド部１２には長さ方向に間隔をあけて複数の係止爪１４を設ける一方、バンド係止部１３にはバンド部１２を挿通するバンド挿通孔１５を設け、バンド部１２をバンド挿通孔１５に通すと、所要の係止爪１４がバンド挿通孔１５の内面に設けた被係止爪（図示せず）に係止される。また、バンド部１２の電線巻き付け側の側面には、横ずれ防止用突起１６を一体的に突設している。
なお、結束バンドとして、横ずれ防止用突起を設けていない従来から汎用されている結束バンドを用いてもよい。
【００１８】
次に、結束バンド１１と弾性紐２０からなる結束材１０を用いた分岐位置の固定方法について説明する。
まず、図２に示すように、弾性紐２０の直線部２１を支線Ｗ／Ｈ２の分岐側根元に２回巻き付けて、両側を支線Ｗ／Ｈ２を挟む幹線Ｗ／Ｈ１側へ延在させる。
次いで、図３に示すように、弾性紐２０の両端の環状部２２にそれぞれ結束バンド１１のバンド部１２を通し、これら支線Ｗ／Ｈ２を挟む両側のバンド部１２は互いに引っ張った状態として弾性紐２０を支線Ｗ／Ｈ２に強固に巻き付ける。
最後に、バンド部１２に設けた横ずれ防止用突起１６を幹線Ｗ／Ｈ１の電線群の隙間に押し込むと共に、弾性紐２０の環状部２２に通したバンド部１２を、図１に示すように、幹線Ｗ／Ｈ１に巻き付け、該バンド部１２をバンド係止部１３のバンド挿通穴１５に通して所要の係止爪１４をバンド挿通穴１５内の被係止爪に係止させて、幹線Ｗ／Ｈ１を結束し、ワイヤハーネスＷ／Ｈの分岐位置２５を固定している。
【００１９】
前記構成とすると、ワイヤハーネスＷ／Ｈの支線Ｗ／Ｈ２の分岐側根元に弾性紐２０を巻き付け、該弾性紐２０を両側に引っ張った状態で両端の環状部２２を結束バンド１１を用いて幹線Ｗ／Ｈ１に固定することで、支線Ｗ／Ｈ２の分岐側根元を弾性紐２０で強く結束すると共に、分岐位置近傍の両側の幹線Ｗ／Ｈ１を結束バンド１１で結束しているため、弾性紐２０と結束バンド１１からなる結束材１０でワイヤハーネスＷ／Ｈの分岐位置２５を固定することができる。
よって、従来行なっていたテープ巻きが不要となるため、結束作業を容易にできると共に、テープを不要としてコストを低減することができる。
また、弾性紐２０及び結束バンド１１は異なる径の電線に巻き付け可能であるため、種々の異なる径のワイヤハーネスＷ／Ｈの幹線Ｗ／Ｈ１及び支線Ｗ／Ｈ２に巻き付けて、分岐位置を固定することができる。
【００２０】
また、分岐位置２５の固定にテープを使用していないため、ワイヤハーネスＷ／Ｈの解体作業の際には、結束バンド１１をはずして弾性紐２０の巻き付けをほどくだけでよく、ワイヤハーネスＷ／Ｈの結束を容易に解くことができ解体作業も容易にできる。
【図面の簡単な説明】
【００２１】
【図１】本発明の実施形態のワイヤハーネスを示す図面である。
【図２】ワイヤハーネスの支線の分岐側根元に弾性紐を巻き付けた状態を示す図面である。
【図３】弾性紐の両端の環状部に結束バンドを通した状態を示す図面である。
【図４】（Ａ）（Ｂ）は従来例を示す図面である。
【図５】他の従来例を示す図面である。
【符号の説明】
【００２２】
１０  結束材
１１  結束バンド
１２  バンド部
１３  バンド係止部
１６  横ずれ防止用突起
２０  弾性紐
２２  環状部
Ｗ／Ｈ  ワイヤハーネス
Ｗ／Ｈ１  幹線
Ｗ／Ｈ２  支線
【図１】
2005267890.tif 000003
【図２】
2005267890.tif 000004
【図３】
2005267890.tif 000005
【図４】
2005267890.tif 000006
【図５】
2005267890.tif 000007